(57)【要約】【課題】煩雑な操作をすることなく、ユーザーが必要とする時のみ簡易な操作で表示装置の輝度変調が可能な撮像装置を提供すること。【解決手段】液晶パネル（１０９）を有する撮像装置（１００）において、前記液晶パネル（１０９）を照射するためのバックライト（１１０）と、前記液晶パネル（１０９）に重畳されて配置されるタッチパネル（１０８）と、タッチパネル（１０８）の内部に組み込まれている輝度変調判定センサ（３０２）と、前記タッチパネル（１０８）からの指示により前記バックライト（１１０）の輝度の変調を制御する輝度変調制御手段（１０６）を有し、前記タッチパネル（１０８）の少なくとも上辺で輝度変調判定センサ（３０２）の検知閾値を超えている間は、前記バックライト（１１０）の輝度を上昇させることを特徴とする。【選択図】図２
2017085215.tif 000002
【特許請求の範囲】
【請求項１】
液晶パネル（１０９）を有する撮像装置（１００）において、前記液晶パネル（１０９）を照射するためのバックライト（１１０）と、前記液晶パネル（１０９）に重畳されて配置されるタッチパネル（１０８）と、タッチパネル（１０８）の内部に組み込まれている輝度変調判定センサ（３０２）と、前記タッチパネル（１０８）からの指示により前記バックライト（１１０）の輝度の変調を制御する輝度変調制御手段（１０６）を有し、前記タッチパネル（１０８）の少なくとも上辺で輝度変調判定センサ（３０２）の検知閾値を超えている間は、前記バックライト（１１０）の輝度を上昇させることを特徴とする撮像装置（１００）。
【請求項２】
撮像装置（１００）の天地方向を検知する姿勢検知手段（１１３）を備え、撮像装置（１００）の天地方向が変化したと検知された場合は、前記姿勢検知手段（１１３）の検知結果に基づき前記液晶パネル（１０９）、及び、前記タッチパネル（１０８）の上辺を変更することを特徴とする請求項１に記載の撮像装置（１００）。
【請求項３】
前記液晶パネル（１０９）に重畳されて配置され、且つ、タッチ操作検知及び近接検知が可能なタッチパネル（１０８）を備え、前記タッチパネル（１０８）の近接検知が規定出力値以下の場合は輝度変調の検知制御を優先させ、近接検知が規定出力以上の場合は前記液晶パネル（１０９）、及び、前記バックライト（１１０）の消灯制御を優先させることを特徴とする請求項１又は請求項２に記載の撮像装置（１００）。
【請求項４】
前記液晶パネル（１０９）上に輝度変調を行うための操作の指標となる目印（３０４ａ、３０４ｂ）を表示させることを特徴とする請求項１乃至請求項３の何れか一項に記載の撮像装置（１００）。
【請求項５】
前記撮像装置（１００）は第一の表示モード、及び、第二の表示モードを有し、第二の表示モード中のみバックライト（１１０）の輝度を変調させることを特徴とする請求項１乃至請求項４の何れか一項に記載の撮像装置（１００）。
【請求項６】
前記バックライト（１１０）の輝度を通常調整可能な輝度よりも低輝度まで変調可能な第三の表示モードを更に有し、第三の表示モード中において、前記液晶パネル（１０９）の少なくとも上辺で輝度変調判定センサ（３０２）の検知閾値を超えている間は、前記バックライト（１１０）の輝度を所定の輝度まで上昇させることを特徴とする請求項５に記載の撮像装置（１００）。
【請求項７】
第三の表示モードにおいて、前記液晶パネル（１０９）が低輝度表示中は輝度変調以外のタッチ操作を受け付けず、前記輝度変調操作による輝度上昇時のみ輝度変調以外のタッチ操作を受け付けることを特徴とする請求項５又は請求項６に記載の撮像装置（１００）。
【請求項８】
第三の表示モードにおいて、前記画像表示画面が低輝度表示中に前記輝度変調操作以外のタッチ操作を行った場合は、前記液晶パネル（１０９）に警告を出すことを特徴とする請求項５乃至請求項７の何れか一項に記載の撮像装置（１００）。
【発明の詳細な説明】
【技術分野】
【０００１】
本発明は、撮像装置に関し、特にタッチパネルを利用した表示装置の照明制御方法に関する。
【背景技術】
【０００２】
近年、デジタルカメラでの動画撮影は広く一般的になってきており、多種多様な状況下において撮影が行われている。映画やCMなどの撮影にデジタル一眼レフカメラが用いられる場合もあり、時には晴天の太陽光下といった高照度下で撮影が行われる場合がある。高照度下では画像を表示するTFT液晶などの表示装置の視認性が低下するため、折り畳み式のシェードを取り付けたり、表示装置のバックライトの輝度を上昇させるなどして表示装置の視認性を改善させて使用されるのが一般的である。
【０００３】
そこで、特許文献１ではユーザーが任意にバックライトの輝度を調整できるよう、所定の操作ボタンの長押しを判断し、長押しと判断された場合は表示装置のバックライトの輝度を最大輝度もしくは最小輝度に変更が可能とする技術が開示されている。
【先行技術文献】
【特許文献】
【０００４】
【特許文献１】特開２００６−２２７１８７号公報
【発明の概要】
【発明が解決しようとする課題】
【０００５】
しかしながら、上述の特許文献１に開示された従来技術では、所定の操作ボタンを長押しすることで表示装置の輝度が変更されるといった操作方法をユーザーが熟知していなければならず、ユーザーにとっては使いづらい仕様となっている。また、ユーザーが表示装置で画像や設定を一時的に確認したい場合であっても、所定の操作ボタンの長押しが必要なため、ユーザーが求める一時的なバックライトの輝度変調が、簡易な操作で行えないといった問題点がある。
【０００６】
更に、操作ボタンの長押しによりバックライトを最大輝度まで上昇させた場合、通常の輝度に戻すには再度、操作ボタンを長押ししなければならず、ユーザーが必要とする時間以上に最大輝度でバックライトを点灯してしまう可能性があり、省電力という面でも懸念がある。
【０００７】
そこで、本発明の目的は、煩雑な操作をすることなく、ユーザーが必要とする時のみ簡易的・直感的な操作で表示画面の輝度変調を可能とした撮像装置を提供することにある。
【課題を解決するための手段】
【０００８】
上記の目的を達成するために、本発明に係る撮像装置は、
液晶パネルを有する撮像装置において、前記液晶パネルを照射するためのバックライトと、前記液晶パネルに重畳されて配置されるタッチパネルと、前記タッチパネルからの指示により前記バックライトの輝度の変調を制御する輝度変調制御手段を有し、前記タッチパネルの少なくとも上辺がタッチされていると検知している間は、前記バックライトの輝度を上昇させることを特徴とする。
【発明の効果】
【０００９】
本発明によれば、煩雑な操作をすることなく、ユーザーが必要とする時のみ簡易的・直感的な操作で表示装置の輝度変調が可能な撮像装置を提供することができる。
【図面の簡単な説明】
【００１０】
【図１】本発明の実施形態に関わる撮像装置の構成を示すブロック図
【図２】同実施形態に係るタッチパネルを用いた輝度変調処理内容を示すフローチャート
【図３】同実施形態に係るタッチパネルの輝度変調判定範囲を示す図
【図４】同実施形態に係るバックライトの輝度と輝度変調ステップの変遷を示す図
【図５】同実施形態に係る第二の表示モードを有する撮像装置のタッチパネルを用いた輝度変調処理内容を示すフローチャート
【図６】同実施形態に係る第三の表示モードを有する撮像装置のタッチパネルを用いた輝度変調処理内容を示すフローチャート
【発明を実施するための形態】
【００１１】
以下に、本発明の好ましい実施の形態を、図面に基づいて詳細に説明する。
【００１２】
［実施例１］
図１は本発明の実施形態に関わる撮像装置の構成を示すブロック図である。
【００１３】
同図において、１００は撮像装置である。１０１は被写体に対しての合焦位置関係を持つズームレンズ及びフォーカスレンズからなる撮影レンズ、１０２は光電変換を行うＣＣＤやＣＭＯＳなどの撮像素子である。１０３は撮像素子１０２のアナログ信号出力をデジタル信号に変換するＡ／Ｄ変換回路であり、１０４は撮像素子１０２を駆動させる撮像駆動回路である。
【００１４】
１０５は画像信号処理回路であり、Ａ／Ｄ変換回路１０３や中央演算処理装置１１１からの制御信号・映像信号を受け、入力表示装置制御回路１０６に映像信号を出力する。１１２は撮像装置１００の周囲の外光照度を検知する照度センサであり、フォトトランジスタを使用する品種、フォトダイオードを使用する品種、フォトダイオードにアンプ回路を追加した品種などで構成される。１１３は撮像装置１００の姿勢を検知する姿勢検知センサであり、ピエゾ抵抗方式や静電容量方式などの角速度センサが用いられる。
【００１５】
１０７は入力表示装置であり、ＬＣＤ（Ｌｉｑｕｉｄ  Ｃｒｙｓｔａｌ  Ｄｉｓｐｌａｙ）などの液晶パネル１０９、ならびに液晶パネルの背面より光を照射するバックライト１１０、更にタッチパネル１０８で構成される。タッチパネル１０８は、指先と導電膜との間の静電容量の変化を捉えて検知する静電容量方式や、透明電極が配置され、手指などで押し下げた力点の位置座標を電圧値で検出する感圧方式（抵抗膜圧方式）などで構成される入力装置である。
【００１６】
また、静電容量方式のタッチパネル１０８の場合、人間の体は静電的な誘電体であるため、指や顔などがセンサ表面に近づくことでパネル電極との間に静電結合が起き、人体の存在を検知することが可能であり、近接センサとしても利用可能である。また、タッチパネル１０８は、液晶パネル１０９の表示画面上に重畳されて配設され、液晶パネル１０９と一体化している。液晶パネル１０９に表示される画像や、タッチ操作用のボタンは、タッチパネル１０８を介して視認可能である。
【００１７】
本実施例では液晶パネル１０９のサイズと、タッチパネル１０８のサイズは同一として説明を行うが、タッチの有効範囲を大きくするべく、液晶パネル１０９よりタッチパネル１０８の方を大型化させてもよく、逆にタッチ範囲を規制するべく、液晶パネル１０９よりタッチパネル１０８の方を小型化させるようにしてもよい。１１１は中央演算処理装置であり、撮像駆動回路１０４、画像信号処理回路１０５、入力表示装置制御回路１０６などの制御、及び照度センサ１１２、姿勢検知センサ１１３などの駆動・制御を行う装置である。また、中央演算処理装置１１１は、表示設定ボタン１１４などの操作・指示により前記回路・センサの制御を行う。
【００１８】
１１５は光学ファインダであり、入力表示装置１０７による電子ファインダ機能を使用すること無しに、光学ファインダのみを用いて撮影を行うことが可能である。１１６はメモリであり、中央演算処理装置１１１により、撮影された画像データの書き込み、読み出しが行われる。メモリ１１６は、メモリＩＣや不図示のケーブルコネクタを介して中央演算処理装置１１１と通信するハードディスクドライブ、または不図示のスロットコネクタを介して通信を行うメモリーカードなどで構成される。
【００１９】
次に図２を参照して実施形態の動作について説明する。図２はタッチパネルを用いた輝度変調の処理内容を示すフローチャートである。
【００２０】
まず、ユーザーにより前記表示設定ボタン１１４、不図示の画像再生ボタンや設定画面呼び出しボタンなどの押下げといった所定の操作がなされると、前記撮像装置１００の前記入力表示装置１０７がＯＮされる（ステップＳ２０１）。
【００２１】
次に、前記姿勢検知センサ１１３により撮像装置１００の天地方向が判断され、その出力結果に応じて前記中央演算処理装置１１１により前記タッチパネル１０８の上辺方向が設定された後、ステップＳ２０３に移行する（ステップＳ２０２）。
【００２２】
本実施例では撮像装置１００は正位置に構えた状態、つまり入力表示装置１０７の画面の縦横比が４：３であれば、比率４となる上側の長辺を上辺としている。また、撮像装置１００を縦位置に構えた場合では、比率３となる短辺のいずれか一方が上辺と設定される。ステップＳ２０３では、前記液晶パネル１０９に重畳配置されている前記タッチパネル１０８の近接検知機能を用い、タッチパネル１０８のパネル面積の半分以上で近接検知が有るか否かを判断する（ステップＳ２０３）。
【００２３】
タッチパネル１０８のパネル面積の半分以上で近接が検知された場合は、前記中央演算処理装置１１１及び前記入力表示装置制御回路１０６によって液晶パネル１０９及び前記バックライト１１０はＯＦＦされ、図２のフローを終了する（ステップＳ２０４）。
【００２４】
一般的に前記光学ファインダ１１５は液晶パネル１０９などの画像表示装置近傍に配設される場合が多く、前記処理ステップＳ２０４は、ユーザーが撮像装置１００の光学ファインダ１１５を覗いたと判断された場合、すなわち入力表示装置１０７にユーザーの顔が近づいたと判断された場合は光学ファインダ１１５を覗く際の邪魔にならないように液晶パネル１０９及びバックライト１１０をＯＦＦさせるものである。また、タッチパネル１０８の近接検知面積の閾値は、光学ファインダ１１５とタッチパネル１０８の位置関係に応じて、例えば１／３の面積などにしてもよい。
【００２５】
本実施例では近接検知の出力値として、近接検知された面積を用いて説明したが、例えば近接を検知している時間や座標、前記タッチパネル１０８内の検出電極の静電容量の変化や前記入力表示装置制御回路１０６などに含まれる発振回路の周波数変化などを用いてもよく、更に前記各出力値を組み合わせて用いるようにしてもよい。近接検知範囲がタッチパネル１０８の面積の半分以下、もしくは検知が無い場合はステップＳ２０５に移行する（ステップＳ２０３）。
【００２６】
前記処理ステップＳ２０５は図３を用いて説明する。図３はタッチパネル１０８の輝度変調判定範囲を示す図である。
【００２７】
まず、前記姿勢検知センサ１１３及び中央演算処理装置１１１によって入力表示装置１０７の上辺が設定され、更に前記入力表示装置制御回路１０６によって前記タッチパネル１０８上の前記上辺に輝度変調判定範囲３０１が設定される。なお、図３に示す輝度変調判定範囲３０１は明示的に色を変えている。
【００２８】
輝度変調判定範囲３０１は所定の幅（例えば１０ｍｍ）を有した帯状の範囲であり、帯状範囲の長さはタッチパネル１０８のパネル幅と同一に設定される。他のタッチボタンのレイアウト次第では、輝度変調判定範囲３０１の長さをタッチパネル１０８のパネルサイズより短くするようにしてもよい。また、誤操作防止のため、タッチパネル１０８上に輝度変調用の輝度変調判定範囲３０１が設定されている間は、輝度変調判定範囲３０１を避けるように他のタッチボタンの表示範囲やタッチ操作受付範囲を狭めるようにしてもよい。
【００２９】
更に、液晶パネル上に輝点３０４ａ、及び、３０４ｂなどで、輝度変調判定範囲３０１が容易に認識可能なように目印を設けるようにしてもよい。また、輝度変調判定範囲３０１に垂直であり、且つ、タッチパネル１０８の左右両側辺の少なくともいずれか一方にも輝度変調判定範囲３０１を設け、例えばＬ字の範囲にて輝度変調判定を行うことで、操作性を向上させるようにしてもよい。３０２は輝度変調判定を行うセンサである。タッチパネル１０８のセンサ１０８ａのうち、前記輝度変調判定範囲３０１として設定された範囲内にある前記センサ１０８ａは、輝度変調判定を行う輝度変調判定センサ３０２として設定される。
【００３０】
前記構成とすることで、前記姿勢検知センサ１１３の出力結果に応じて上辺とされる位置が変わったとしても輝度変調判定範囲３０１全体で静電容量の変化を検知することが可能となる。ステップＳ２０５では輝度変調判定範囲３０１内に配置されている全ての輝度変調判定センサ３０２の静電容量の検知量が所定の閾値を超えたか否かを判断する（ステップＳ２０５）。
【００３１】
輝度変調判定範囲３０１内に配置されている全ての輝度変調判定センサ３０２の静電容量が所定値を超えたと判断された場合はＳ２０６に移行する（ステップＳ２０５）。判断を行う輝度変調判定センサ３０２群は、通常のタッチ操作と識別するべく、所定の範囲以上に設定するのが好ましい。また、その範囲は輝度変調判定範囲３０１と同じでなくてもよく、輝度変調判定範囲３０１より小さくしたり、左右にシフトさせて設定するようにしてもよい。
【００３２】
前記構成とすることで、ユーザーの手がタッチパネル１０８中の輝度変調判定範囲３０１に近接、または接触したことを検知することができ、輝度変調を行うか否かを制御することが可能となる。前記処理ステップＳ２０６は図４を用いて説明する。図４はバックライト１１０の輝度と輝度変調ステップの変遷を示す図である。バックライト１１０の輝度は調光設定により設定されており、調光設定はユーザーが初期値の輝度である±０から、例えば＋７（明化設定）及び−７（暗化設定）の範囲まで任意に調整が可能である。
【００３３】
本実施例ではバックライト１１０の輝度が初期値の±０に設定されていた場合について説明する。
【００３４】
前記処理ステップＳ２０５で輝度変調判定センサ３０２の静電容量の検知量により輝度変調を実施する判定がなされると、中央演算処理装置１１１及び入力表示装置制御回路１０６によって、バックライト１１０の輝度変調処理が行われる（ステップＳ２０６）。この時、図４−４０１に示されるように、バックライトの輝度は初期値の±０から最大輝度の＋７まで、間の輝度変調ステップを踏むことなく、一気に輝度を上昇させる変調処理が行われる（ステップＳ２０６）。
【００３５】
輝度変調処理後、前記処理ステップＳ２０５に戻り、輝度変調判定範囲３０１において、引き続き静電容量の閾値が所定以上になっているか否かを輝度変調判定センサ３０２によって検知し、静電容量が所定の閾値以上を維持されていると判断された場合は、中央演算処理装置１１１及び入力表示装置制御回路１０６によって、バックライト１１０は最大輝度＋７を維持するよう制御される。
【００３６】
また、前記処理ステップＳ２０５において静電容量が所定の閾値を下回った、または検知されない場合、つまりユーザーの手がタッチパネル１０８から離れたと判断した場合は、図４−４０２に示すように中央演算処理装置１１１及び入力表示装置制御回路１０６によって、バックライト１１０は輝度を最大輝度＋７から初期値の±０に戻され、ステップＳ２０７に移行する（ステップＳ２０５）。前記処理ステップ２０６では、前記処理ステップＳ２０５のタッチ操作によりバックライト１１０の輝度を最大輝度まで変調させる例を説明したが、例えば変調後の輝度値をユーザーが任意に設定するようにしてもよい。
【００３７】
次に、ステップＳ２０７で、入力表示装置１０７の状態がＯＮの状態、すなわち液晶パネル１０９は画像を表示し、タッチパネル１０８、及び、輝度変調判定範囲３０１は検出待機状態である場合は、前記処理ステップＳ２０５からの処理に戻る（ステップＳ２０７）。また、一定時間操作がなされず、省電力のために中央演算処理装置１１１及び入力表示装置制御回路１０６によって入力表示装置１０７がＯＦＦされた場合は図２のフローを終了し、ユーザーにより入力表示装置１０７が再度ＯＮされるまで待機する。
【００３８】
図２のフローでは入力表示装置１０７がＯＮされてから特に表示モードなどを分けず、単一モードとして説明を行ったが、例えば、タッチパネル１０８の内部に組み込まれた輝度変調判定センサ３０２を用いてバックライト１１０の輝度変調を行うモードと、輝度変調を行わず通常輝度にて終始バックライト１１０を点灯させるモードとに分けるようにしてもよい。
【００３９】
図５を参照して表示モードを分けた場合の実施形態の動作について説明する。図５は本実施形態における第二の表示モードを有する撮像装置の輝度変調処理内容を示すフローチャートである。
【００４０】
まず、ユーザーにより表示設定ボタン１１４、不図示の画像再生ボタンや設定画面呼び出しボタンなどの押下げといった所定の操作がなされると、撮像装置１００の入力表示装置１０７がＯＮされ、ステップＳ５０２に移行する（ステップＳ５０１）。
【００４１】
ステップＳ５０２おいて、ユーザーにより第一の表示モード、及び第二の表示モードが選択される（ステップＳ５０２）。表示モードの選択は、液晶パネル１０９に選択用のボタンを表示させ、タッチパネル１０８によるタッチ操作や、表示設定ボタン１１４の押下げなどで選択させるようにしてもよい。
【００４２】
前記処理ステップＳ５０２にて、ユーザーにより第一の表示モードが選択された場合は、バックライト１１０の輝度変調を行わないモードに移行し、ステップＳ５０３にてバックライト１１０の輝度が初期値（例えば、図４に記載の±０）に設定され、図５のフローを終了する（ステップＳ５０３）。また、前記処理ステップＳ５０２にて第二の表示モードが選択された場合は、タッチパネル１０８の内部に組み込まれた輝度変調判定センサ３０２を用いてバックライト１１０の輝度変調が可能となる輝度変調モードに移行する（ステップＳ５０２）。
【００４３】
第二の表示モードに移行後の処理ステップＳ５０４以降のフローは、前述の図２を参照して説明したステップＳ２０２からのフローと同一内容であるため、説明は省略する。
【００４４】
上記のような構成とすれば、太陽光といった高照度下において、入力表示装置１０７に表示される画像が視認しづらい場合であっても、ユーザーは調光設定を呼び出して輝度変調するなどの煩雑な操作方法をする必要は無く、遮光のために入力表示装置１０７に手でひさしを作るといった自然に行う仕草に応じて輝度変調を行うことが可能となる。また、ユーザーは入力表示装置１０７に表示される画像を確認した後、手を離すだけでバックライト１１０を元の輝度に戻すことができる。
【００４５】
つまり、ユーザーは簡易な操作で一時的な輝度変調が可能となり、且つ、ユーザーが必要とする時のみ輝度変調を行うので、撮像装置１００の省電力化も可能となる。
【００４６】
［実施例２］
次に第２の実施例として、撮像装置１００の入力表示装置１０７が低輝度表示モードである第三の表示モードを有している場合の構成について、添付の図面に基づいて詳細に説明する。
【００４７】
図６を参照して第三の表示モードを有する場合の実施形態の動作について説明する。なお前述の図面、及びフローと共通する部分の説明は省略する。図６は本実施形態における第三の表示モードを有する撮像装置の輝度変調処理内容を示すフローチャートである。
【００４８】
まず、ユーザーにより表示設定ボタン１１４、不図示の画像再生ボタンや設定画面呼び出しボタンなどの押下げといった所定の操作がなされると、撮像装置１００の入力表示装置１０７がＯＮされ、ステップＳ６０２に移行する（ステップＳ６０１）。
【００４９】
ステップＳ６０２おいて、ユーザーにより第一の表示モード、第二の表示モード、及び第三のモードが選択される（ステップＳ６０２）。表示モードの選択は、液晶パネル１０９に選択用のボタンを表示させ、タッチパネル１０８によるタッチ操作や、表示設定ボタン１１４の押下げなどで選択させるようにしてもよい。
【００５０】
前記処理ステップＳ６０２にて、ユーザーにより第一の表示モードが選択された場合は、バックライト１１０の輝度変調を行わないモードに移行し、ステップＳ６１０にてバックライト１１０の輝度が初期値（例えば、図４に記載の±０）に設定され、図６のフローを終了する（ステップＳ６１０）。また、前記処理ステップＳ６０２にて第二の表示モードが選択された場合は、タッチパネル１０８にてバックライト１１０の輝度変調が可能となる輝度変調モードに移行する（ステップＳ６０２）。
【００５１】
第二の表示モードに移行後の処理ステップＳ６１１以降のフローは、図２を参照して説明した実施例１に記載の前記処理ステップＳ２０２からのフローと同一内容であるため、説明は省略する。
【００５２】
次に、前記処理ステップＳ６０２にて低輝度表示モードである第三の表示モードが選択された場合について説明する。まず、ステップＳ６０３にて姿勢検知センサ１１３により撮像装置１００の天地方向が判断され、その出力結果に応じて中央演算処理装置１１１によりタッチパネル１０８の上辺方向が設定された後、ステップＳ６０４に移行する（ステップＳ６０３）。
【００５３】
本実施例では実施例１と同様に撮像装置１００は正位置に構えた状態、つまり入力表示装置１０７の画面の縦横比が４：３であれば、比率４となる上側の長辺を上辺としている。
【００５４】
前記処理ステップＳ６０４は図４を用いて説明する。図４はバックライト１１０の輝度と輝度変調ステップの変遷を示す図である。
【００５５】
バックライト１１０の輝度は調光設定により設定されており、調光設定はユーザーが初期値の輝度である±０から、例えば＋７（明化設定）及び−７（暗化設定）の範囲まで任意に調整が可能である。
【００５６】
前記処理ステップＳ６０２において第三の表示モードが選択された場合は、中央演算処理装置１１１及び入力表示装置制御回路１０６によって、バックライト１１０の輝度が通常調整可能な暗化設定値である−７よりも更に低輝度に変調される（ステップＳ６０４）。
【００５７】
この時、図４−４０４に示されるように、バックライト１１０の輝度は初期値の±０から通常調整可能な最小輝度である−７より更に低輝度の−１０まで、間の輝度変調ステップを踏むことなく、一気に輝度を低下させる変調処理が行われる（ステップＳ６０４）。また、前記処理ステップＳ６０４において、例えば、液晶パネル１０９を表示したまま、バックライト１１０を消灯するような制御にするようにしてもよい。
【００５８】
ステップＳ６０５では、液晶パネル１０９に重畳配置されているタッチパネル１０８の近接検知機能を用い、タッチパネル１０８のパネル面積の半分以上で近接検知が有るか否かを判断する（ステップＳ６０５）。タッチパネル１０８のパネル面積の半分以上で近接が検知された場合は、中央演算処理装置１１１及び入力表示装置制御回路１０６によって液晶パネル１０９及びバックライト１１０はＯＦＦされ、図６のフローを終了する（ステップＳ６０６）。
【００５９】
近接検知範囲がタッチパネル１０８の面積の半分以下、もしくは検知が無い場合はステップＳ６０７に移行する（ステップＳ６０５）。ステップＳ６０７では、実施例１にて前述の輝度変調判定範囲３０１内において、輝度変調判定範囲３０１内に配置されている全ての輝度変調判定センサ３０２の静電容量の検知量が所定の閾値を超えたか否かを判断する（ステップＳ６０７）。
【００６０】
輝度変調判定範囲３０１内に配置されている全ての輝度変調判定センサ３０２の静電容量が所定値を超えたと判断された場合はＳ６０８に移行する（ステップＳ６０７）。また、誤操作などによる不意のバックライト１１０の点灯防止のため、入力表示装置１０７が低輝度化中に輝度変調判定範囲３０１以外のタッチ操作が行われたと判断された場合は、そのタッチ操作を受け付けない、又は警告を出すように制御するようにしてもよい。
【００６１】
前記処理ステップＳ６０８は図４を用いて説明する。図４はバックライト１１０の輝度と輝度変調ステップの変遷を示す図である。
【００６２】
前記処理ステップＳ６０７にて輝度変調判定センサ３０２の静電容量の検知量により輝度変調を実施する判定がなされると、中央演算処理装置１１１及び入力表示装置制御回路１０６によって、バックライト１１０の輝度変調処理が行われる（ステップＳ６０８）。
【００６３】
この時、図４−４０３に示されるように、バックライトの輝度は通常調整可能な最小輝度より更に低輝度の−１０から初期輝度の±０まで、間の輝度変調ステップを踏むことなく、一気に輝度を上昇させる変調処理が行われる（ステップＳ６０８）。また、例えば、図４−４０５に示されるように最大輝度＋7や、ユーザーが任意で設定した輝度まで変調させるような制御にするようにしてもよい。
【００６４】
ステップＳ６０８にてバックライト１１０が輝度変調された際、他タッチコマンドとの誤操作を防止するため、輝度変調以外のタッチボタンは前記輝度変調判定範囲３０１より表示画面内側に表示させるようにしてもよい。
【００６５】
輝度変調処理後、前記処理ステップＳ６０７に戻り、輝度変調判定範囲３０１において引き続き静電容量の閾値が所定以上になっているか否かを輝度変調判定センサ３０２によって検知し、静電容量が所定の閾値以上を維持されていると判断された場合は、中央演算処理装置１１１及び入力表示装置制御回路１０６によって、バックライト１１０は初期輝度の±０を維持するよう制御される。
【００６６】
また、前記処理ステップＳ６０７において静電容量が所定の閾値を下回った、または検知されない場合、つまりユーザーの手がタッチパネル１０８から離れたと判断した場合は、図４−４０４に示すように中央演算処理装置１１１及び入力表示装置制御回路１０６によって、バックライト１１０は初期値の±０から通常調整可能な最小輝度より更に低輝度の−１０に戻され、ステップＳ６０９に移行する（ステップＳ６０７）。
【００６７】
次に、ステップＳ６０９で、入力表示装置１０７の状態がＯＮの状態、すなわち液晶パネル１０９は画像を表示し、タッチパネル１０８、及び、輝度変調判定範囲３０１内に配置されている輝度変調判定センサ３０２が検出待機状態である場合は、前記処理ステップＳ６０７からの処理に戻る（ステップＳ６０９）。また、一定時間操作がなされず、省電力のために中央演算処理装置１１１及び入力表示装置制御回路１０６によって入力表示装置１０７がＯＦＦされた場合は図６のフローを終了し、ユーザーにより入力表示装置１０７が再度ＯＮされるまで待機する。
【００６８】
本実施例では、第一から第三の表示モードの中からユーザーがタッチパネルで任意に選択する例を説明したが、例えば、撮像装置１００に内蔵された照度センサ１１２などを用い、撮像装置１００周囲の照度が規定照度以下の場合は、自動で第三の表示モードに設定されるようにしてもよい。また、撮像装置１００周囲の照度が規定照度以下の場合は、第三の表示モードに設定する旨を促すメッセージを液晶パネル１０９に表示させるようにしてもよい。
【００６９】
上記のような構成とすれば、暗転した劇場などといった通常であれば入力表示装置１０７のバックライト１１０の明かりが周囲の観客の迷惑になりかねないような状況下であっても、入力表示装置１０７を通常調整可能な最小輝度よりも更に低輝度にて表示を行うため、周囲の観客へ配慮をしつつ、動画やＬＶ撮影が可能となる。また、ユーザーは調光設定を呼び出して輝度変調するなどの煩雑な操作方法をする必要は無く、遮光のために入力表示装置１０７に手でひさしを作るといった必然の仕草に応じて輝度変調を行うことができ、また、バックライト１１０の明かりで周囲の観客に迷惑をかけることなく入力表示装置１０７に表示される画像を確認することが可能となる。
【００７０】
更に、ユーザーは入力表示装置１０７に表示される画像を確認した後、手を離すだけでバックライト１１０を元の低輝度に戻すことができる。つまり、ユーザーは簡易な操作で一時的な輝度変調が可能となり、且つ、ユーザーが必要とする時のみ輝度変調を行うので、撮像装置１００の省電力化も可能となる。
【００７１】
なお、フローチャートを用いて説明した上述の各種制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７２】
また、上述した実施形態においては、本発明をデジタルカメラに適用した場合を例にして説明したが、これはこの例に限定されず表示の輝度、明るさを調整可能である表示装置であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００７３】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７４】
１００  撮像装置、１０６  入力表示装置制御回路、１０７  入力表示装置、
１０８  タッチパネル、１０９  液晶パネル、１１０  バックライト、
１１１  中央演算処理装置、１１３  姿勢検知センサ、１１４  表示設定ボタン
【図１】
2017085215.tif 000003
【図２】
2017085215.tif 000004
【図３】
2017085215.tif 000005
【図４】
2017085215.tif 000006
【図５】
2017085215.tif 000007
【図６】
2017085215.tif 000008